(57)【要約】【課題】ハードディスクドライブの保護装置、移動端末、およびハードディスクドライブの保護方法を提供すること。【解決手段】ハードディスクドライブ２００と、警報発生器６００と、通知信号を発生させる通知信号発生部と、通知信号を受信し、通知信号に基づいてハードディスクドライブ及び警報発生器の動作を制御するコントローラ２２０と、を備えることを特徴とする。【選択図】図５
2007299515.tif 000002
【特許請求の範囲】
【請求項１】
ハードディスクドライブと；
警報発生器と；
通知信号を発生させる通知信号発生部と；
前記通知信号を受信し、前記通知信号に基づいて前記ハードディスクドライブ及び警報発生器の動作を制御するコントローラと；
を備えることを特徴とする、ハードディスクドライブの保護装置。
【請求項２】
前記コントローラは、ハードディスクドライブの保護プロセスを実行させるように前記ハードディスクドライブを制御する保護制御信号を発生し、警報を発生させるように前記警報発生器を制御するための警報制御信号を発生することを特徴とする、請求項１に記載のハードディスクドライブの保護装置。
【請求項３】
前記コントローラは、前記警報制御信号を伝送する前に前記保護制御信号を伝送することを特徴とする、請求項２に記載のハードディスクドライブの保護装置。
【請求項４】
前記コントローラは、前記保護制御信号及び警報制御信号を同時に伝送することを特徴とする、請求項２に記載のハードディスクドライブの保護装置。
【請求項５】
前記保護制御信号及び前記警報制御信号は、同じ制御信号であることを特徴とする、請求項２に記載のハードディスクドライブの保護装置。
【請求項６】
前記警報発生器に伝送される前記警報制御信号を遅延させる遅延部をさらに備え、前記コントローラは、前記ハードディスクドライブに伝送される前記保護制御信号を基準に所定時間ほど遅延させるように、前記警報制御信号を前記遅延部を通じて前記警報発生器に伝送することを特徴とする、請求項５に記載のハードディスクドライブの保護装置。
【請求項７】
前記所定時間は、前記ハードディスクドライブの保護プロセス下で前記ハードディスクドライブの保護に必要な時間に設定されることを特徴とする、請求項６に記載のハードディスクドライブの保護装置。
【請求項８】
前記通知信号発生部は、着信データ信号を受信する信号受信器を備え、前記信号受信機が受信した前記着信データに応じた通知信号を生成することを特徴とする、請求項１に記載のハードディスクドライブの保護装置。
【請求項９】
前記通知信号発生部は、前記通知信号を生成する内部通知信号発生器を備えることを特徴とする、請求項１に記載のハードディスクドライブの保護装置。
【請求項１０】
前記内部通知信号発生器は、ユーザ設定条件に基づいて通知信号を生成することを特徴とする、請求項９に記載のハードディスクドライブの保護装置。
【請求項１１】
前記通知信号発生器は、内部通知信号発生器または信号受信器のうち何れか一つを備えることを特徴とする、請求項１に記載のハードディスクドライブの保護装置。
【請求項１２】
前記ハードディスクドライブに影響を与える外乱を検出して外乱通知を発生させる外乱検出部をさらに備え、前記コントローラは、前記外乱通知に基づいてハードディスクドライブの保護プロセスが実行されるように前記ハードディスクドライブを制御することを特徴とする、請求項１に記載のハードディスクドライブの保護装置。
【請求項１３】
前記外乱検出部は、自由落下センサーを備えることを特徴とする、請求項１２に記載のハードディスクドライブの保護装置。
【請求項１４】
着信データ信号を受信し、前記着信データ信号に基づいた通知信号を発生させる信号受信器と；
前記通知信号を受信し、前記通知信号に基づいてハードディスクドライブ及び警報発生器を制御するコントローラと；
を備えることを特徴とする、ハードディスクドライブの保護装置。
【請求項１５】
前記着信データ信号は、電話コール信号またはメッセージの到着信号を含むことを特徴とする、請求項１４に記載のハードディスクドライブの保護装置。
【請求項１６】
前記警報発生器は、振動発生部またはオーディオ警報発生器のうち何れか一つを備えることを特徴とする、請求項１４に記載のハードディスクドライブの保護装置。
【請求項１７】
前記コントローラは、前記ハードディスクドライブを保護するように制御信号を発生させて前記ハードディスクドライブ及び前記警報発生器の動作を制御し、前記警報発生器が警報を発生させる前に前記ハードディスクドライブを保護するために、前記ハードディスクドライブに前記制御信号を伝送することを特徴とする、請求項１４に記載のハードディスクドライブの保護装置。
【請求項１８】
前記制御信号は、前記警報発生器が警報を発生させる前に前記ハードディスクドライブが保護されるように前記ハードディスクドライブを制御することを特徴とする、請求項１７に記載のハードディスクドライブの保護装置。
【請求項１９】
前記制御信号は、前記警報が発生するとき、警報発生区間で前記ハードディスクドライブが保護されるように前記ハードディスクドライブを制御するための情報を含むことを特徴とする、請求項１８に記載のハードディスクドライブの保護装置。
【請求項２０】
前記制御信号は、前記警報発生区間でディセーブル動作によって保護されるように前記ハードディスクドライブを制御することを特徴とする、請求項１９に記載のハードディスクドライブの保護装置。
【請求項２１】
前記制御信号は、前記警報の発生する時点から第１所定時間前に前記ハードディスクドライブをディセーブルさせ、前記警報発生が終了してから第２所定時間後に前記ハードディスクドライブをイネーブルさせるように、前記ハードディスクドライブを制御することを特徴とする、請求項２０に記載のハードディスクドライブの保護装置。
【請求項２２】
前記警報発生は、警報シーケンスの発生を含み、前記制御信号は、前記警報のシーケンスが発生する区間で前記ハードディスクドライブがディセーブルされるように前記ハードディスクドライブを制御することを特徴とする、請求項２０に記載のハードディスクドライブの保護装置。
【請求項２３】
前記制御信号は、前記警報が所定の臨界値以上に発生するとき、前記ハードディスクドライブがディセーブルされるように前記ハードディスクドライブを制御することを特徴とする、請求項２０に記載のハードディスクドライブの保護装置。
【請求項２４】
ディスクにデータを記録および／または前記ディスクからデータを判読するハードディスクドライブと；
第２制御信号に応答して警報を発生させる警報発生器と；
着信データを受信し、前記着信データに基づいて通知信号を発生させる信号受信器と；
前記ハードディスクドライブの保護プロセスを実行するように、前記ハードディスクドライを制御する第１制御信号を発生させ、前記通知信号に応答して前記警報発生器を制御する第２制御信号を発生させ、前記第１制御信号及び第２制御信号をそれぞれ前記ハードディスクドライブ及び前記警報発生器に伝送するコントローラと；
を備えることを特徴とする、移動端末。
【請求項２５】
前記第１制御信号は、前記警報発生器で警報が発生する前に前記ハードディスクドライブを保護モードに進入させるように前記ハードディスクドライブを制御することを特徴とする、請求項２４に記載の移動端末。
【請求項２６】
前記コントローラは、前記警報発生器で警報が発生する前に前記ハードディスクドライブが保護モードに進入するように制御するために、前記第２制御信号を伝送する所定時間前に前記第１制御信号を伝送することを特徴とする、請求項２４に記載の移動端末。
【請求項２７】
前記移動端末は、少なくともＰＤＡ、携帯電話またはノート型パソコンを備えることを特徴とする、請求項２４に記載の移動端末。
【請求項２８】
警報を発生させるための通知が検出されるときに通知信号を発生させるステップと；
装置がハードディスクドライブに影響を及ぼす警報モードにあるか否かを判断するステップと；
前記装置が警報モードにあると判断されるとき、前記ハードディスクドライブの動作及び前記装置の警報発生を制御するステップと；
を含むことを特徴とする、ハードディスクドライブの保護方法。
【請求項２９】
前記警報が発生する前に前記ハードディスクドライブの保護モードを実行させることを特徴とする、請求項２８に記載のハードディスクドライブの保護方法。
【請求項３０】
装置に着信データが受信されるときに通知信号を発生させるステップと：
前記装置が警報モードにあるか否かを判断するステップと：
前記装置が警報モードにあると判断されるとき、ハードディスクドライブの動作及び前記装置の警報発生を制御するステップと；
を含むことを特徴とする、ハードディスクドライブの保護方法。
【請求項３１】
前記装置が警報モードにあると判断されるとき、前記ハードディスクドライブの保護モードを実行させることを特徴とする、請求項３０に記載のハードディスクドライブの保護方法。
【請求項３２】
前記保護モードを実行するステップは、
警報発生区間で前記ハードディスクドライブをディセーブルさせるステップと；
前記警報モードの警報セットが終了するまで前記ハードディスクドライブのディセーブル状態を維持するステップと；
前記警報モードの警報セットが終了するまで所定の動作を行うように、前記ハードディスクドライブを制御するステップと；
を含むことを特徴とする、請求項３１に記載のハードディスクドライブの保護方法。
【請求項３３】
前記保護モードを実行するステップは、
前記ハードディスクドライブをディセーブルさせるステップと；
前記警報モードの警報セットが終了するまで前記ハードディスクドライブのディセーブル状態を維持するステップと；
前記警報が所定の臨界レベル内にあるとき、前記警報モードの警報セットが終了するまで特定の動作を行うように、前記ハードディスクドライブを制御するステップと；
を含むことを特徴とする、請求項３１に記載のハードディスクドライブの保護方法。
【請求項３４】
前記ハードディスクドライブをディセーブルさせる動作は、パーキングモードにアクチュエータを位置させる制御動作であることを特徴とする、請求項３２に記載のハードディスクドライブの保護方法。
【請求項３５】
前記警報モードが発生する前に前記ハードディスクドライブの保護モードを実行させることを特徴とする、請求項３１に記載のハードディスクドライブの保護方法。
【請求項３６】
前記装置の警報を制御する前に前記ハードディスクドライブの保護動作が実行されるように制御することを特徴とする、請求項３０に記載のハードディスクドライブの保護方法。
【請求項３７】
前記警報発生の間に前記ハードディスクドライブが保護モードに進入するように、前記ハードディスクドライブの動作を制御することを特徴とする、請求項３６に記載のハードディスクドライブの保護方法。
【請求項３８】
前記着信データは、電話コール信号であることを特徴とする、請求項３０に記載のハードディスクドライブの保護方法。
【請求項３９】
着信データ信号が受信されるとき、装置が警報モードにあるか否かを判断するステップと；
前記装置が警報モードにあると判断されるとき、前記警報モードの間に警報シーケンスに相応してハードディスクドライブの動作を制御するステップと；
を含むことを特徴とするハードディスクドライブの保護方法。
【請求項４０】
前記警報シーケンスに相応するハードディスクドライブの動作制御ステップは、
前記警報の間に前記ハードディスクドライブのアクチュエータをパーキングさせるように前記ハードディスクドライブを制御するステップと；
前記警報シーケンスが終了するまで前記ハードディスクドライブのアクチュエータをパーキングさせるように前記ハードディスクドライブを制御するステップと；
前記警報が所定の臨界レベルを超えるとき、前記ハードディスクドライブのアクチュエータをパーキングさせるように前記ハードディスクドライブを制御するステップと；
を含むことを特徴とする、請求項３９に記載のハードディスクドライブの保護方法。
【発明の詳細な説明】
【技術分野】
【０００１】
本発明は、ハードディスクドライブの保護装置、移動端末、およびハードディスクドライブの保護方法に関する。
【背景技術】
【０００２】
本発明と関連して公知された先行技術文献としては、特許文献１及び特許文献２などがある。ＨＤＤは、磁気ディスクに／からデータを記録／判読するデータ記録装置である。最近、携帯型マルチメディア再生装置、車両用ナビゲーション装置または大容量記録装置を内蔵した携帯電話のように、大容量データを保存して再生する携帯型情報機器の出現によって、大容量データの記録特性を有するＨＤＤの活用が多様化されている。
【０００３】
一般的に、電子機器は、外部衝撃及び振動のような外乱からＨＤＤを保護するためのＨＤＤの保護システムを装着する。
【０００４】
図１は、従来の技術によるＨＤＤ２を内蔵する電子機器１を示す。図１で、電子機器１は、ＨＤＤ２及び外乱検出装置３を備える。従来の技術によるＨＤＤ保護システムにおいて、外乱検出装置３は、衝撃または振動のような外乱を検出し、もし、検出レベルが所定の臨界レベルより高ければ、ＨＤＤ保護プロセスを実行させうるように、外乱検出情報をＨＤＤ２に送る。
【０００５】
図２は、図１の外乱検出装置３の動作を示す図面である。図２に示すように、外乱検出装置３は、重力加速度を検出する自由落下センサーを備える。図１及び図２の従来の技術によるＨＤＤ保護システムで自由落下センサーとして動作する外乱検出装置３は、正常的な状態で電子機器１の０Ｇ加速度を検出する。
【０００６】
しかし、図２Ａに示すように、電子機器の加速度の上昇が、一定時間（Ｔｆａｌｌ）の間に前記臨界値を超えたと自由落下センサーが感知した場合に、自由落下センサーは、電子機器１が自由落下状態２００にあるということを感知する。この場合、自由落下センサーは、図２Ｂに示すように、ＨＤＤ保護プロセスが実行されるように、ＨＤＤに外乱検出情報２２０を送る。
【０００７】
しかし、従来の技術によるＨＤＤ保護システムは、センサーによって外乱を検出せねばならず、ＨＤＤ保護プロセスを実行するためには、外乱の強度及び持続期間についての臨界値を超えねばならない。このような短所は、信号入力を電子機器１のユーザに警報を発生させる振動メカニズムの含まれた電子機器の例でさらに明確に現れる。
【０００８】
図３には、従来の技術による他の電子機器１０の構成を示す。電子機器１０は、ＨＤＤ ２０、外乱検出装置３０、信号受信器４０及び振動モータ５０を備える。図３の電子機器１０で外乱検出装置３０及びＨＤＤ２０は、外乱を検出する動作を実行し、図１及び図２の装置で説明したような方式でＨＤＤの外乱保護プロセスを実行させる。追加的に、信号受信器４０は、入力コール信号に相応する信号を受信し、かつ電子機器１０を振動させるために、振動モータ５０に振動信号を送る。これにより、振動によって、電子機器のユーザにコール信号が受信されることを知らせる。
【０００９】
図４には、従来の技術によるさらに他の電池機器１０の構成を示す。電子機器１０は、外乱検出装置３０とＨＤＤ２０との通信を制御するコントローラ２２、信号受信器４０及び振動モータ５０を備える。すなわち、コントローラ２２は、外乱検出装置３０から外乱検出信号を受信して、ＨＤＤ保護プロセスを実行するようにＨＤＤ
２０を制御する。そして、コントローラ２２は、信号受信器４０から入力コール信号を受信して、振動によって、入力コール信号によってユーザにコール信号が受信されることを知らせるように振動モータ５０を制御する。
【００１０】
従来の技術によれば、自由落下センサーのような外乱検出装置を利用した外乱検出方式を適用してＨＤＤを保護する場合に、外乱保護のために十分な時間を必要とする。すなわち、移動端末（携帯電話）の振動警報（お知らせ）またはオーディオ警報によって引き起こされる振動のような外乱に対して速く対処できないという短所があった。
【００１１】
このように、従来の技術によるＨＤＤ保護システムは、外乱発生時点以後に検出された外乱を外乱と判断するための時間が経過した後に、前記外乱が発生するということが分かり、また外乱の発生如何のみが分かり、どのような特性を有する外乱であるかについては分からない状況であるので、発生した外乱の発生時点やサイズ、回数または間隔などが予め予測できないので、前記外乱の発生時にディスクドライブを外乱から効果的に保護できないという問題点があった。
【００１２】
【特許文献１】韓国特許公開第２００６−６４３３号公報
【特許文献２】特開第２００２−２４５７３８号公報
【発明の開示】
【発明が解決しようとする課題】
【００１３】
そこで、本発明は、上記問題に鑑みてなされたものであり、本発明の目的とするところは、ディスクドライブに作用する外乱発生を予め認識して対応することが可能な、新規かつ改良されたハードディスクドライブの保護装置、移動端末、およびハードディスクドライブの保護方法を提供することにある。
【課題を解決するための手段】
【００１４】
上記課題を解決するために、本発明のある観点によれば、ハードディスクドライブと、警報発生器と、通知信号を発生させる通知信号発生部と、通知信号を受信し、通知信号に基づいてハードディスクドライブ及び警報発生器の動作を制御するコントローラとを備えることを特徴とする、ハードディスクドライブの保護装置が提供される。
【００１５】
コントローラは、ハードディスクドライブの保護プロセスを実行させるようにハードディスクドライブを制御する保護制御信号を発生し、警報を発生させるように警報発生器を制御するための警報制御信号を発生してもよい。
【００１６】
コントローラは、警報制御信号を伝送する前に保護制御信号を伝送してもよい。
【００１７】
コントローラは、保護制御信号及び警報制御信号を同時に伝送してもよい。
【００１８】
保護制御信号及び警報制御信号は、同じ制御信号であってもよい。
【００１９】
警報発生器に伝送される警報制御信号を遅延させる遅延部をさらに備え、コントローラは、ハードディスクドライブに伝送される保護制御信号を基準に所定時間ほど遅延させるように、警報制御信号を遅延部を通じて警報発生器に伝送してもよい。
【００２０】
所定時間は、ハードディスクドライブの保護プロセス下でハードディスクドライブの保護に必要な時間に設定されてもよい。
【００２１】
通知信号発生部は、着信データ信号を受信する信号受信器を備え、信号受信機が受信した着信データに応じた通知信号を生成してもよい。
【００２２】
通知信号発生部は、通知信号を生成する内部通知信号発生器を備えてもよい。
【００２３】
内部通知信号発生器は、ユーザ設定条件に基づいて通知信号を生成してもよい。
【００２４】
通知信号発生器は、内部通知信号発生器または信号受信器のうち何れか一つを備えてもよい。
【００２５】
ハードディスクドライブに影響を与える外乱を検出して外乱通知を発生させる外乱検出部をさらに備え、コントローラは、外乱通知に基づいてハードディスクドライブの保護プロセスが実行されるようにハードディスクドライブを制御してもよい。
【００２６】
外乱検出部は、自由落下センサーを備えてもよい。
【００２７】
また、上記課題を解決するために、本発明の別の観点によれば、着信データ信号を受信し、着信データ信号に基づいた通知信号を発生させる信号受信器と、通知信号を受信し、通知信号に基づいてハードディスクドライブ及び警報発生器を制御するコントローラと、を備えることを特徴とする、ハードディスクドライブの保護装置が提供される。
【００２８】
着信データ信号は、電話コール信号またはメッセージの到着信号を含んでもよい。
【００２９】
警報発生器は、振動発生部またはオーディオ警報発生器のうち何れか一つを備えてもよい。
【００３０】
コントローラは、ハードディスクドライブを保護するように制御信号を発生させてハードディスクドライブ及び警報発生器の動作を制御し、警報発生器が警報を発生させる前にハードディスクドライブを保護するために、ハードディスクドライブに制御信号を伝送してもよい。
【００３１】
制御信号は、警報発生器が警報を発生させる前にハードディスクドライブが保護されるようにハードディスクドライブを制御してもよい。
【００３２】
制御信号は、警報が発生するとき、警報発生区間でハードディスクドライブが保護されるようにハードディスクドライブを制御するための情報を含んでもよい。
【００３３】
制御信号は、警報発生区間でディセーブル動作によって保護されるようにハードディスクドライブを制御してもよい。
【００３４】
制御信号は、警報の発生する時点から第１所定時間前にハードディスクドライブをディセーブルさせ、警報発生が終了してから第２所定時間後にハードディスクドライブをイネーブルさせるように、ハードディスクドライブを制御してもよい。
【００３５】
警報発生は、警報シーケンスの発生を含み、制御信号は、警報のシーケンスが発生する区間でハードディスクドライブがディセーブルされるようにハードディスクドライブを制御してもよい。
【００３６】
制御信号は、警報が所定の臨界値以上に発生するとき、ハードディスクドライブがディセーブルされるようにハードディスクドライブを制御してもよい。
【００３７】
また、上記課題を解決するために、本発明の別の観点によれば、ディスクにデータを記録および／またはディスクからデータを判読するハードディスクドライブと、第２制御信号に応答して警報を発生させる警報発生器と、着信データを受信し、着信データに基づいて通知信号を発生させる信号受信器と、ハードディスクドライブの保護プロセスを実行するように、ハードディスクドライを制御する第１制御信号を発生させ、通知信号に応答して警報発生器を制御する第２制御信号を発生させ、第１制御信号及び第２制御信号をそれぞれハードディスクドライブ及び警報発生器に伝送するコントローラとを備えることを特徴とする、移動端末が提供される。
【００３８】
第１制御信号は、警報発生器で警報が発生する前にハードディスクドライブを保護モードに進入させるようにハードディスクドライブを制御してもよい。
【００３９】
コントローラは、警報発生器で警報が発生する前にハードディスクドライブが保護モードに進入するように制御するために、第２制御信号を伝送する所定時間前に第１制御信号を伝送してもよい。
【００４０】
移動端末は、少なくともＰＤＡ、携帯電話またはノート型パソコンを備えてもよい。
【００４１】
また、上記課題を解決するために、本発明の別の観点によれば、警報を発生させるための通知が検出されるときに通知信号を発生させるステップと、装置がハードディスクドライブに影響を及ぼす警報モードにあるか否かを判断するステップと、装置が警報モードにあると判断されるとき、ハードディスクドライブの動作及び装置の警報発生を制御するステップと、を含むことを特徴とする、ハードディスクドライブの保護方法が提供される。
【００４２】
警報が発生する前にハードディスクドライブの保護モードを実行させてもよい。
【００４３】
また、上記課題を解決するために、本発明の別の観点によれば、装置に着信データが受信されるときに通知信号を発生させるステップと、装置が警報モードにあるか否かを判断するステップと、装置が警報モードにあると判断されるとき、ハードディスクドライブの動作及び装置の警報発生を制御するステップと、を含むことを特徴とする、ハードディスクドライブの保護方法が提供される。
【００４４】
装置が警報モードにあると判断されるとき、ハードディスクドライブの保護モードを実行させてもよい。
【００４５】
保護モードを実行するステップは、警報発生区間でハードディスクドライブをディセーブルさせるステップと、警報モードの警報セットが終了するまでハードディスクドライブのディセーブル状態を維持するステップと、警報モードの警報セットが終了するまで所定の動作を行うように、ハードディスクドライブを制御するステップと、を含んでもよい。
【００４６】
保護モードを実行するステップは、ハードディスクドライブをディセーブルさせるステップと、警報モードの警報セットが終了するまでハードディスクドライブのディセーブル状態を維持するステップと、警報が所定の臨界レベル内にあるとき、警報モードの警報セットが終了するまで特定の動作を行うように、ハードディスクドライブを制御するステップと、を含んでもよい。
【００４７】
ハードディスクドライブをディセーブルさせる動作は、パーキングモードにアクチュエータを位置させる制御動作であってもよい。
【００４８】
警報モードが発生する前にハードディスクドライブの保護モードを実行させてもよい。
【００４９】
装置の警報を制御する前にハードディスクドライブの保護動作が実行されるように制御することを特徴とする、請求項３０に記載のハードディスクドライブの保護方法。
【００５０】
警報発生の間にハードディスクドライブが保護モードに進入するように、ハードディスクドライブの動作を制御してもよい。
【００５１】
着信データは、電話コール信号であってもよい。
【００５２】
また、上記課題を解決するために、本発明の別の観点によれば、着信データ信号が受信されるとき、装置が警報モードにあるか否かを判断するステップと、装置が警報モードにあると判断されるとき、警報モードの間に警報シーケンスに相応してハードディスクドライブの動作を制御するステップと、を含むことを特徴とするハードディスクドライブの保護方法が提供される。
【００５３】
警報シーケンスに相応するハードディスクドライブの動作制御ステップは、警報の間にハードディスクドライブのアクチュエータをパーキングさせるようにハードディスクドライブを制御するステップと、警報シーケンスが終了するまでハードディスクドライブのアクチュエータをパーキングさせるようにハードディスクドライブを制御するステップと；
警報が所定の臨界レベルを超えるとき、ハードディスクドライブのアクチュエータをパーキングさせるようにハードディスクドライブを制御するステップと、を含んでもよい。
【発明の効果】
【００５４】
以上説明したように本発明にかかるハードディスクドライブの保護装置、移動端末、およびハードディスクドライブの保護方法によれば、ディスクドライブに作用する外乱発生を予め認識して対応することができる。
【発明を実施するための最良の形態】
【００５５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００５６】
図５は、本発明の一実施形態に係るＨＤＤ及びＨＤＤの保護装置の内蔵された電子機器１００を示す。移動端末、ＰＤＡのような電子機器１００は、メインフレーム５０１に配置されたコントローラ２２０、外乱検出部３００、信号受信器４００、振動モータ５００及びＨＤＤ２００を備える。
【００５７】
信号受信器４００は、例えば、携帯電話の場合、電話コールのような着信データに相応する信号を受信し、コントローラ２２０に通知信号ＮＳを伝送する通知信号発生部としての機能を有する。コントローラ２２０に伝送された通知信号ＮＳは、信号受信器４００に受信される着信データ信号の種類によって可変されうる。例えば、通知信号ＮＳは、携帯電話の場合、文字メッセージ及び電話コールに対して変わりうる。
【００５８】
電子機器１００は、着信データに応じて通知方式（知らせ方式）のタイプが異なるように設定してもよい。例えば、携帯電話のような電子機器１００で、ユーザは、入力電話コールに相応して携帯電話を振動モードに設定するか、またはデータまたは文字伝送についてオーディオ警報モードに設定することができる。
【００５９】
振動モータ５００は、着信データが受信されることをユーザに知らせるために振動を発生させる。図５で、振動モータ５００は、警報発生器に該当する。本発明に係る警報発生器は、これに限定されず、多様な形態を取り得る。例えば、図９には振動モータ５００に代えて警報発生器６００を備える電子機器１０１を示している。追加的に、警報は、振動モータ５００によって発生する振動警報のシーケンスまたは警報発生器６００を使用して、振動警報とオーディオ警報との結合による多様な形態の警報を発生させうる。また、警報信号のタイプは、通知信号ＮＳに相応して決定されうる。
【００６０】
図５に示すように、コントローラ２２０は、振動モータによって振動が引き起こされる場合に所定の警報信号を生成させるように振動モータ５００を制御する。
【００６１】
コントローラ２２０は、通知信号ＮＳが受信されるとき、ＨＤＤ２００及び振動モータ５００の動作を制御可能であり、特に、所定の警報信号を生成させるように、振動モータ５００を制御する前または同時にＨＤＤ保護プロセスを実行させるように制御する。振動モータ５００が警報信号を生成させるための所定時間の間に、コントローラ２２０は、ＨＤＤ保護プロセスの実行についての準備を行うように、ＨＤＤ２００を制御した後、所定の警報信号を発生させるように振動モータ５００を制御する。これにより、振動モータが所定の警報信号を発生させる時間の間にＨＤＤ２００は保護される。
【００６２】
付加的に、外乱検出部３００は、電子機器についての自由落下または衝撃のような外乱を検出する自由落下センサーから構成され、もし、外乱が、メーカまたはユーザによって設定された臨界値を超えれば、外乱検出信号ＤＳをコントローラ２２０に出力する。このとき、コントローラ２２０は、受信される外乱検出信号ＤＳに応答してＨＤＤ保護プロセスを実行するようにＨＤＤ２００を制御する。
【００６３】
図６は、図５の本実施形態に係るＨＤＤの保護装置の動作方法を示すフローチャートである。図６に示すように、ステップ５００で、信号受信器４００によって着信データ信号が受信されれば、受信された着信データ信号に相応する通知信号ＮＳが生成され、信号受信器４００によってコントローラ２２０に伝送される。ステップ５１０で、コントローラ２２０は、電子機器１００が振動モードに設定されているか否かを判断する。
【００６４】
ステップ５３０ないしステップ５５０で、もし、電子機器１００が振動モードに設定されていると判断されれば、コントローラ２２０は、ＨＤＤ保護プロセスを実行するようにＨＤＤ２００を制御し、それと同時に、受信された通知信号ＮＳに相応する警報信号を生成させるように振動モータ５００を制御する。また、コントローラ２２０は、警報信号を生成させるように振動モータ５００を制御する前に、ＨＤＤ保護プロセスを実行させるようにＨＤＤ２００を制御しうる。
【００６５】
例えば、ステップ５３０で、コントローラ２２０は、ＨＤＤ保護プロセスを実行するようにＨＤＤ２００に保護信号ＰＳを送りうる。それにより、ステップ５４０で、コントローラ２２０は、警報を生成させるように振動モータ５００に信号を送り、ステップ５５０で、ＨＤＤ２００は、警報生成プロセスを考慮してＨＤＤ保護プロセスを実行する。
【００６６】
ＨＤＤ２００についてのＨＤＤ保護プロセスは、警報信号のタイプまたはレベルによって可変されうる。ＨＤＤ保護プロセスは、公知の技術であって、多様な形態がある。例えば、ＨＤＤ保護プロセスの例としては、警報の間にＨＤＤ２００をディセーブルさせるか、または警報の間にＨＤＤのアクチュエータ（図示せず）をパーキングゾーンに移動させるパーキングモードを実行させるようなプロセスがある。
【００６７】
コントローラ２２０は、同じ信号を利用してＨＤＤ２００及び振動モータ５００を制御してもよい。すなわち、例えば、コントローラ２２０は、ＨＤＤ保護プロセスを実行するように、ＨＤＤ２００を制御するために受信された通知信号ＮＳに応答する保護信号ＰＳとしてＨＤＤ２００に振動モータ制御信号ＡＳを送りうる。そして、警報を発生させるために、振動モータ５００に同じモータ制御信号を送りうる。これにより、振動モードで、振動モータ５００では振動による警報を発生させ、ＨＤＤは保護される。
【００６８】
ステップ５６０で、ＨＤＤ２００は、ＨＤＤ保護プロセスを実行するために、コントローラ２２０の信号に応答する処理を選択しうる。電子機器１００及びＨＤＤ２００は、電子機器１００とＨＤＤ２００との間のコマンド及び情報交換の多様な形態及び手続きで実行されうるそれぞれのシステムコントローラを有する。
【００６９】
図７は、本発明の他の実施形態に係るＨＤＤ保護動作の方法を表すフローチャートである。
【００７０】
図７に示すように、ステップ５００で、信号受信器４００によって着信データ信号が受信されれば、受信された着信データ信号に相応する通知信号ＮＳが生成され、信号受信器４００によってコントローラ２２０に伝送される。
【００７１】
ステップ５１０ないしステップ５２０で、コントローラ２２０は、電子機器１００が警報モードに設定されているか否かを判断する。例えば、ステップ５１０で、コントローラ２２０は、電子機器１００が振動モードに設定されているか否かを判断し、ステップ５２０で、コントローラ２２０は、電子機器１００がオーディオ警報モードに設定されているか否かを判断する。
【００７２】
図６及び図７に示すように、ＨＤＤ保護動作で、コントローラ２２０は、まず、電子機器１００が振動モードに設定されているか否かを判断するか、または電子機器１００が振動モードに設定されているか否か、またはオーディオ警告モードに設定されているか否かを判断する。本発明は、これに限定されず、ディスクドライブが警報モードに設定されているか否かを多様な方式または回路で判定しうる。例えば、コントローラ２２０は、電子機器１００が所定の臨界区間及び強度を超える振動警報及びオーディオ警報に設定されていると判断できる。
【００７３】
図７のステップ５３０ないしステップ５６０は、図６で説明された部分と同じであるので、その詳細な説明を省略する。
【００７４】
図８は、本実施形態に係るＨＤＤの保護方法に関連したタイミング図を示す。
【００７５】
ライン１は、電子機器で、例えば、携帯電話での電話コールのような着信データ信号の発生区間を表す。ライン２は、コントローラによって受信される着信データ信号を表す。ライン３は、例えば、モータ振動のパターンのような警報信号の発生を示す。
【００７６】
本実施形態によれば、ＨＤＤは、警報信号が発生する間に保護状態にある。図８のライン４ないしライン６は、本実施形態に係るＨＤＤの多様なアクセスの例を示す。ライン４は、警報信号の発生区間（例えば、モータ振動区間）でＨＤＤをアクセスすることを示す。ライン５は、警報信号の発生後（例えば、モータ振動のシーケンス終了後）にＨＤＤをアクセスすることを示す。ライン６は、警報信号発生周期の間にＨＤＤのアクセスが必要な場合の例を示す。
【００７７】
この場合に、ＨＤＤアクセスは、ＨＤＤのリード／ライトプロセスの信頼度を向上させることが必要であり、したがって、コントローラは、警報信号の発生中にリード／ライトプロセスのリトライ数を増やすか、データ伝送率を変更させるか、またはコマンド実行時間を変更させるようにＨＤＤを制御しうる。
【００７８】
図１０は、本発明のさらに他の実施形態に係るＨＤＤ及びＨＤＤを内蔵する電子機器１０２のブロック構成図である。図１０に示す電子機器の構成要素の詳細な説明のうち、図５及び図９で説明された部分と重複される部分は省略する。
【００７９】
図１０に示すように、電子機器１０２は、携帯電話、ＰＤＡなどであり、メインフレーム５０１に配置されたように、コントローラ２２０、外乱検出部３００、信号受信器４００、警報発生器６００及びＨＤＤ２００を備える。追加的に、電子機器１０２は、内部信号発生器５５５を備えうる。
【００８０】
自由落下センサーのような外乱検出部３００、ＨＤＤ２００及び信号受信器４００、振動モータ５００または警報発生器６００及びＨＤＤ２００の動作は、図５及び図９で既に詳細に説明されているので、ここでは省略する。
【００８１】
内部信号発生器５５５は、警報を発生させるように警報発生器６００を制御するために、コントローラ２２０に内部信号ＩＳを伝送する。例えば、内部信号発生５５５は、ユーザが警報発生器６００のテストを要請する場合に内部信号ＩＳを発生させる。例えば、リングトーン試演、警報信号試演またはアラーム・セッティング、カレンダーセッティングのような機能セッティングに相応する警報を発生させるように警報発生器６００が制御される場合に内部信号ＩＳを発生させる。
【００８２】
したがって、コントローラ２２０は、内部信号発生器５５５から発生する内部信号ＩＳに応答して、信号受信器４００の通知信号ＮＳによって説明されたものと類似した方式で警報を発生させるように警報発生器６００を制御すると同時に、またはそれ以前にＨＤＤ保護プロセスが実行されるようにＨＤＤ２００を制御する。
【００８３】
図１１は、本発明のさらに他の実施形態に係るＨＤＤ及びＨＤＤを内蔵する電子機器１０２のブロック構成図である。図１１に示す電子機器の構成要素の詳細な説明のうち、図５及び図９で説明された部分と重複される部分は省略する。
【００８４】
図１１に示すように、電子機器１０３は、携帯電話、ＰＤＡなどであり、メインフレーム５０１に配置されたように、コントローラ２２０、外乱検出部３００、信号受信器４００、警報発生器６００及びＨＤＤ２００を備える。追加的に、電子機器１０２は、内部信号発生器５５５を備えうる。
【００８５】
自由落下センサーのような外乱検出部３００、ＨＤＤ２００及び信号受信器４００、振動モータ５００または警報発生器６００及びＨＤＤ２００の動作は、図５及び図９で既に詳細に説明されたので省略する。
【００８６】
コントローラ２２０は、遅延部２２２を備えうる。遅延部２２２は、コントローラ２２０から警報発生器６００への信号伝送を遅延させる役割を行う。すなわち、コントローラ２２０は、所定時間警報信号の発生を遅延させるように、警報信号ＡＳを遅延部２２２を介して警報発生器６００に伝送し、それに対し、保護信号ＰＳは、ＨＤＤ保護プロセスを実行するように、ＨＤＤ２００を制御するために遅延部２２２を介さずにＨＤＤ２００に伝送するように選択的に制御する。
【００８７】
また、コントローラ２２０は、ＨＤＤ２００及び警報発生器６００に同じ信号Ｓを伝送し、信号Ｓは、遅延部２２２を介して警報発生器６００に選択的に伝送される。したがって、警報発生器６００で警報が発生する時間の間にＨＤＤ２００は保護される。
【００８８】
警報発生器６００への信号の遅延伝送が不要な場合に、コントローラ２２０は、警報発生信号ＡＳ、または信号Ｓを遅延させずに警報発生器６００に伝送するように制御してもよい。前記で警報発生器６００への信号の遅延伝送が不要な場合は、例えば、ＨＤＤ２００が既に保護状態にあるか、ディセーブルされているか、またはターンオフされている場合などに該当する。
【００８９】
前述したように、電子機器１００及びＨＤＤ２００は、ＨＤＤ保護プロセスを実行させるように、保護状態及び信号に対する応答を含んで、電子機器１００とＨＤＤ２００との間のコマンド及び情報交換が多様な形態及び手続きで実行されうるそれぞれのシステムコントローラを有する。
【００９０】
以上説明したように、本実施形態によれば、別途の外乱検出装置なしにディスクドライブに作用する外乱発生を予め認識して対応する装置が提供される。また、ディスクドライブの装着されたシステムで発生する外乱についての情報をディスクドライブで受信され、受信された情報に基づいてディスクドライブに作用する外乱が発生する時点から正確にディスクドライブで外乱に対応する制御を実行することによって、当該外乱がディスクドライブに作用する前に十分に対応することによってディスクドライブの信頼性を向上させうる。
【００９１】
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。すなわち、本発明は、ＨＤＤを備える各種のディスクドライブが内蔵された機器に適用されるだけでなく、多様な種類のデータ記録装置にも適用されうるということは言うまでもない。
【産業上の利用可能性】
【００９２】
本発明は、多様な方式のディスクドライブを記録装置として利用する電子機器に適用可能であり、特に、ＨＤＤを記録装置として利用する電子機器に適用する場合に予測される外乱に対して、効果的にドライブを保護しうる。
【図面の簡単な説明】
【００９３】
【図１】従来の技術による外乱検出装置を装着したＨＤＤを備える電子機器のブロック構成図である。
【図２】図１のＨＤＤ保護システムの自由落下センサーの動作を説明するための図面である。
【図３】従来の技術によるＨＤＤ保護システム及び振動モータを備える電子機器のブロック構成図である。
【図４】他の従来の技術によるＨＤＤ保護システム及び振動モータを備える電子機器のブロック構成図である。
【図５】本発明の一実施形態に係るＨＤＤ及びＨＤＤの保護装置を備える電子機器のブロック構成図である。
【図６】本発明の一実施形態に係るＨＤＤの保護方法のフローチャートである。
【図７】本発明の他の実施形態に係るＨＤＤの保護方法のフローチャートである。
【図８】本発明に係るＨＤＤの保護方法の動作説明するためのタイミング図である。
【図９】本発明の他の実施形態に係るＨＤＤ及びＨＤＤの保護装置を備える電子機器のブロック構成図である。
【図１０】本発明のさらに他の実施形態に係るＨＤＤ及びＨＤＤの保護装置を備える電子機器のブロック構成図である。
【図１１】本発明のさらに他の実施形態に係るＨＤＤ及びＨＤＤの保護装置を備える電子機器のブロック構成図である。
【符号の説明】
【００９４】
１００  電子機器
２００  ＨＤＤ 
２２０  コントローラ
３００  外乱検出部
４００  信号受信器
５００  振動モータ
５０１  メインフレーム
ＮＳ  通知信号
ＰＳ  保護信号
ＡＳ  振動モータ制御信号
ＤＳ  外乱検出信号
【図１】
2007299515.tif 000003
【図２】
2007299515.tif 000004
【図３】
2007299515.tif 000005
【図４】
2007299515.tif 000006
【図５】
2007299515.tif 000007
【図６】
2007299515.tif 000008
【図７】
2007299515.tif 000009
【図８】
2007299515.tif 000010
【図９】
2007299515.tif 000011
【図１０】
2007299515.tif 000012
【図１１】
2007299515.tif 000013